(57)【要約】【課題】表示画像のぼやけを抑制することができる立体画像表示装置を提供する。【解決手段】装置前面の法線方向に沿って少なくとも２つの透過型発光表示パネルが平行に配置され、２つの透過型発光表示パネルのうちの前方発光表示パネルから後方発光表示パネルへの光の出射を低減させる半透明部材を備えた。【選択図】  図１
2004226795.tif 000002
【特許請求の範囲】
【請求項１】
装置前面の法線方向に沿って少なくとも２つの透過型発光表示パネルが平行に配置された画像表示装置であって、前記２つの透過型発光表示パネルのうちの前方発光表示パネルから後方発光表示パネルへの光の出射を低減させる半透明部材を備えたことを特徴とする立体画像表示装置。
【請求項２】
前記２つの透過型発光表示パネル各々は前記法線方向において前方及び後方電極が発光層を挟んだ構造を有し、前記半透明部材は前記２つの透過型発光表示パネルのうちの前方発光表示パネルの後方電極であることを特徴とする請求項１記載の立体画像表示装置。
【請求項３】
前記発光層は有機エレクトロルミネッセンス素子であることを特徴とする請求項２記載の立体画像表示装置。
【発明の詳細な説明】
【０００１】
【発明の属する技術分野】
本発明は、複数の透過型発光表示パネルを用いた立体画像表示装置に関する。
【０００２】
【従来の技術】
前面側及び背面側の透過膜に挟持された発光層を有する透過型発光表示パネルには、例えば、電流の注入によって発光するエレクトロルミネッセンス（以下、ＥＬという）を呈する無機又は有機材料の薄膜を利用し、かかるＥＬ材料からなる発光層を備えたＥＬ表示パネルが知られている。
【０００３】
透過型発光表示パネルの応用の１つには立体画像表示装置がある。例えば、表示パネル上の映像を、奥行き方向に離して並べられた２つの透過型発光表示パネル上の同一像とともに眺める場合、観察者からは奥行きの異なる２つの像としては見えず、融合して１つの像に見える。この原理に基づき、２つの同一像の明るさ（輝度）の比を変えてその融合像を、観察者の頭の中で立体画像として構築させる立体画像表示装置がある。
【０００４】
この立体画像表示装置は、３Ｄ専用の眼鏡が不要というほかに、従来の立体画像表示装置に比べて、自然な立体表示ができるため観察者へ疲労感を与えることが少ない。
【０００５】
【発明が解決しようとする課題】
しかしながら、かかる立体画像表示装置においては、２つの透過型発光表示パネルのうちの前方表示パネルからの発光が装置前面だけでなく後方表示パネル側にも出射して後方表示パネルの表面で散乱し、その散乱光が表示画像をぼやかしてしまうという問題点があった。
【０００６】
本発明が解決しようとする課題には、上記の問題点が一例として挙げられ、表示画像のぼやけを抑制することができる立体画像表示装置を提供することが本発明の目的である。
【０００７】
【課題を解決するための手段】
本発明の立体画像表示装置は、装置前面の法線方向に沿って少なくとも２つの透過型発光表示パネルが平行に配置された画像表示装置であって、前記２つの透過型発光表示パネルのうちの前方発光表示パネルから後方発光表示パネルへの光の出射を低減させる半透明部材を備えたことを特徴としている。
【０００８】
【発明の実施の形態】
以下、本発明の実施例を図面を参照しつつ詳細に説明する。
図１は本発明による画像表示装置を示している。この画像表示装置においては、２つの透過型発光表示パネル１１，１２が装置前面の法線方向に沿って平行に配置されている。装置前方に位置する前方表示パネル１１と装置後方に位置する背面表示パネル１２とは筒状のスペーサ１３によって所定の距離だけ離間された状態で一体化されている。
【０００９】
表示パネル１１，１２各々には、複数の有機ＥＬ素子がマトリックス状に構成されている。すなわち、前方表示パネル１１においては、装置表面を形成する透明ガラス基板３１の表面とは反対の面上に陽電極層３２が形成されている。陽電極層３２上には有機ＥＬ素子の主体となる有機層３５及びそれに積層された陰電極層３６がマトリックス状に配列形成されている。有機層３５及び陰電極層３６の積層部分各々は表示スクリーンの１画素に相当する。更に、陽電極層３２上には１画素ずつ区分するように絶縁層３３及び陰極隔壁３４が積層されている。絶縁層３３は画素間の電流リークを抑えるために形成されている。透明ガラス基板３１上に形成された上記の部分は透明の封止缶３７によって保護されている。
【００１０】
有機ＥＬ素子の有機層３５は具体的には図２に示すように正孔輸送層５１，発光層５２及び電子輸送層５３の順に積層された構造を有する。
後方表示パネル１２においても、透明ガラス基板４１、陽電極層４２、絶縁層４３、陰極隔壁４４、有機層４５、陰電極層３６及び封止缶４７が前方表示パネル１１と同様に備えられている。
【００１１】
２つの表示パネル１１，１２の画素数（縦横の画素数）は同一であり、２つの表示パネル１１，１２の間において画素は互いに対向した位置関係にある。
前方表示パネル１１の陽電極層３２及び後方表示パネル１２の陽電極層４２は透明電極である。前方表示パネル１１の陰電極層３６は例えば、２０Åほどの薄い半透明金属からなるハーフミラーである。後方表示パネル１２の陰電極層４６は透明である必要はなく、１００％反射の電極であっても良い。
【００１２】
かかる構成の本発明による画像表示装置においては、図示しない駆動装置によって前方表示パネル１１の陽電極層３２及び陰電極層３６間に電圧が印加され、それとは別に後方表示パネル１２の陽電極層４２及び陰電極層４６間に電圧が印加されて、表示パネル１１，１２が個別に駆動されることにより、図３に矢印Ｘで示すように前方表示パネル１１の発光層３５の発光による出射光は観察者側の前面に至る。また、後方表示パネル１２の発光層の発光による出射光は図３の矢印Ｙのように前方表示パネル１１を通り抜けて観察者側の前面に至る。前面からは表示パネル１１，１２各々に表示される画像が融合して１つの画像として目視することができる。その画像を各画素の輝度比に応じて奥行き位置が異なって見ることができ、観察者は立体画像と知覚することができる。
【００１３】
前方表示パネル１１の陰電極層３６が半透明であることによって、前方表示パネル１１の発光層３５からの光が後方表示パネル１２側へ出射する量が減少するので、後方表示パネル１２の表面で図３に波線で示すような光の散乱が起きることが抑制される。よって、前面から目視できる立体画像のぼけを抑制することができる。
【００１４】
また、前方表示パネル１１の発光層３５から後方表示パネル１２側へ出射した光がその半透明の陰電極層３６によって前方側に反射されるので、前面における輝度の上昇を期待することができる。
上記した実施例のように前方表示パネル及び後方表示パネルによって立体映像を表示させる場合には、前方表示パネル及び後方表示パネル各々から発せられる光の強度が前方表示パネルの前面側で、すなわち観察者の位置で等しくなることが望ましい。しかしながら、前方表示パネルの透過率が１００％の場合には、前方表示パネルと後方表示パネルとが同一の性能であるとすると、前方表示パネルから観察者に届く光強度は、後方表示パネルから届く光強度に比べてほぼ半分になってしまう。これは前方表示パネルからの発光量のほぼ半分が後方表示パネル側へ出射するためである。それに対処するために前方表示パネルの駆動パワーを後方表示パネルのそれに比べて上げる必要があるので、前方表示パネルは大きな負荷がかかった過酷な状態となり、前方表示パネルの寿命がそれだけ短くなる。そこで、本発明においては、上記実施例のように前方表示パネル１１に半透明の陰電極層３６を用いることにより前方表示パネル１１の後方への透過率が低下され、逆に半透明の陰電極層３６によって反射率が上がる。例えば、半透明の陰電極層３６の透過率を７５％、反射率を２５％とし、後方表示パネル１２の発光の１００％が前方表示パネル１１へ出射すると、前方表示パネル１１の発光によって観察者に届く光強度Ａは、
Ａ＝発光層から直接装置前面に届いた光強度（５０％）＋半透明の陰電極層３６で反射して装置前面に届いた光強度（２５％）＝前方表示パネル１１の発光強度の７５％ ……（１）
である。一方、後方表示パネル１２の発光によって観察者に届く光強度Ｂは、
Ｂ＝発光層から前方表示パネル１１を介して装置前面に届いた光強度（７５％）＝後方表示パネル１２の発光強度の７５％  ……（２）
である。よって、前方表示パネル１１と後方表示パネル１２とにおける各ＥＬ素子の性能が同一であるならば、前方表示パネル１１及び後方表示パネル１２の駆動パワー等の駆動条件を揃えることができ、結果的に寿命もほぼ同じにすることができる。
【００１５】
なお、上記実施例では、前方表示パネル１１の陰電極層が半透明金属からなるが、前方表示パネル１１の陰電極層側が装置前面であるならば、前方表示パネル１１の陰電極層が透明電極となり、陽電極層が半透明金属となる。
また、上記実施例では、前方表示パネル１１自体に半透明部材を備えたが、前方表示パネル１１と後方表示パネル１２との間に半透明部材を配置しても上記実施例と同様の効果を得ることができる。
【００１６】
また、半透明にする電極層は全てを半透明にしも良いし、部分的でも良い。
更に、上記実施例では、有機ＥＬ材料の薄膜を利用した有機ＥＬ素子について説明したが、本発明は無機ＥＬ材料の薄膜を利用した無機ＥＬ素子からなる透過型発光表示パネルからなる立体画像表示装置とすることもできる。
以上の如く、２つの透過型発光表示パネルのうちの前方発光表示パネルから後方発光表示パネルへの光の出射を低減させる半透明部材を備えたので、前面から目視できる立体画像のぼけを抑制することができる。
【図面の簡単な説明】
【図１】本発明による実施例を示すを示す概略断面図である。
【図２】図１の立体画像表示装置の有機層の具体的構造を示す断面図である。
【図３】図１の立体画像表示装置の動作を示す概略図である。
【符号の説明】
１１  前方表示パネル
１２  後方表示パネル
３１，４１  透明ガラス基板
３５，４５  有機層
３６  半透明陰電極層
４６  陰電極層
５２  発光層
【図１】
2004226795.tif 000003
【図２】
2004226795.tif 000004
【図３】
2004226795.tif 000005